(57)【要約】【課題】シャドウマスク本体の変形を抑制し、良好な色純度の表示画像を表示可能な陰極線管を提供することを目的とする。【解決手段】シャドウマスクユニット２８は、シャドウマスク本体２９及びシャドウマスク本体２９を保持する略矩形枠状のマスクフレーム３０を有する。シャドウマスク本体２９は、蛍光体スクリーン側に突出した曲面をなすシャドウマスク主面２９１及びシャドウマスク主面２９１の周囲に連接し電子銃構体側に屈曲されたスカート部２９２を備える。マスクフレーム３０は、スカート部２９２の外径と略同等の第１内径を有してスカート部２９２に接触し溶接固定される電子銃構体側の第１側壁部３０１と、第１内径より大きな第２内径を有してスカート部２９２に非接触である蛍光体スクリーン側の第２側壁部３０２と、を備え、第１側壁部３０１は、スカート部２９２の全周に亘って接触する形状を有する。【選択図】    図４
2004172060.tif 000002
【特許請求の範囲】
【請求項１】
内面に蛍光体スクリーンが配置されたパネルを含む外囲器と、
前記外囲器内に配設され、前記蛍光体スクリーンに向けて電子ビームを放出する電子銃構体と、
前記外囲器内で前記蛍光体スクリーンに対向して配置されたシャドウマスク本体、及び、前記シャドウマスク本体を保持する略矩形枠状のマスクフレームを有するシャドウマスクユニットと、を備えた陰極線管において、
前記シャドウマスク本体は、前記蛍光体スクリーン側に突出した曲面をなすシャドウマスク主面、及び、前記シャドウマスク主面の周囲に連接し前記電子銃構体側に屈曲されたスカート部を備え、
前記マスクフレームは、前記スカート部の外径と略同等の第１内径を有して前記スカート部に接触し溶接固定される前記電子銃構体側の第１側壁部と、前記第１内径より大きな第２内径を有して前記スカート部に非接触である蛍光体スクリーン側の第２側壁部と、を備え、
前記第１側壁部は、前記スカート部の全周に亘って接触する形状を有したことを特徴とする陰極線管。
【請求項２】
前記マスクフレームの前記第１側壁部及び前記第２側壁部は、管軸に沿って延出され、前記第１側壁部と前記第２側壁部との間は、前記マスクフレームの底面に対して傾斜角度θを有する傾斜部によって接続されたことを特徴とする請求項１に記載の陰極線管。
【請求項３】
前記傾斜角度θは、５５度≦θ＜９０度であることを特徴とする請求項２に記載の陰極線管。
【請求項４】
前記第１側壁部の管軸に沿った高さは、コーナ部が最も小さいことを特徴とする請求項１に記載の陰極線管。
【請求項５】
前記第１側壁部と前記傾斜部との境界は、前記シャドウマスク主面の曲率と略同等の曲率を有することを特徴とする請求項２に記載の陰極線管。
【請求項６】
前記スカート部は、その先端に前記第１側壁部と接触する所定幅の接触部を有するとともに、シャドウマスク主面との連接部近傍において前記第１側壁部及び前記第２側壁部と非接触の非接触部を有することを特徴とする請求項１に記載の陰極線管。
【請求項７】
前記マスクフレームは、コーナ部近傍において、少なくとも１つの切欠部を備えたことを特徴とする請求項２に記載の陰極線管。
【請求項８】
前記切欠部は、前記第１側壁部と前記傾斜部との境界まで延在していることを特徴とする請求項７に記載の陰極線管。
【請求項９】
前記切欠部は、隣接するコーナ部間の距離を１００％とした時に、コーナ部から３０％までの領域に存在することを特徴とする請求項７に記載の陰極線管。
【発明の詳細な説明】
【０００１】
【発明の属する技術分野】
この発明は、シャドウマスクユニットを備えた陰極線管に係り、特に、シャドウマスクユニットのシャドウマスク本体を保持するマスクフレームの構造に関する。
【０００２】
【従来の技術】
一般的なカラー陰極線管は、電子銃構体から放出された３電子ビームを蛍光体スクリーンにおける所定の蛍光体層にランディングさせるためのシャドウマスクユニットを備えている。このようなカラー陰極線管において、良好な画像を表示するためには、シャドウマスクユニットは、蛍光体スクリーンに対して所定の位置関係に配置される。
【０００３】
このシャドウマスクユニットは、マスクフレームを介してシャドウマスク本体が蛍光体スクリーンに対向するように配置されるが、シャドウマスク本体と蛍光体スクリーンとの相対位置が変位した場合、蛍光体スクリーンに対する電子ビームのランディング位置が変位し、色ずれなどの問題を生ずる。
【０００４】
従来のシャドウマスクユニットにおいては、シャドウマスク本体のスカート部に接触する部分と接触しない部分とを有するボス加工を施したマスクフレームが提案されている（例えば、特許文献１参照。）。
【０００５】
【特許文献１】
特開昭５４−１２７２７６号公報
【０００６】
【発明が解決しようとする課題】
上述したようなシャドウマスクユニットにおいて、スカート部とマスクフレームとが接触しない部分では、熱膨張によるドーミング時にスカート部が拡がり、シャドウマスク本体の曲面が局部的に変形するおそれがある。
【０００７】
また、シャドウマスクユニットの構造について、製造工程でのシャドウマスク本体のマスクフレームへの挿入性が高いことが重要である。すなわち、シャドウマスク本体をマスクフレームに挿入する際に、シャドウマスク本体ののスカート部がスムーズにマスクフレームに挿入されることが重要である。シャドウマスク本体の挿入性が悪い場合として、シャドウマスク本体のスカート部がマスクフレームに引っかかり、スカート部を変位させてしまう場合がある。このとき、スカート部の変位に伴い、シャドウマスク本体の曲面を変形させてしまう。
【０００８】
このように、シャドウマスク本体の曲面が変形してしまった場合、シャドウマスクユニットを介してランディングする電子ビームの蛍光体スクリーン上でのランディング位置が変位し、表示画像の色純度が損なわれることになる。
【０００９】
この発明は、上述した問題点に鑑みなされたものであって、その目的は、シャドウマスク本体の変形を抑制し、良好な色純度の表示画像を表示可能な陰極線管を提供することにある。
【００１０】
【課題を解決するための手段】
この発明の様態による陰極線管は、
内面に蛍光体スクリーンが配置されたパネルを含む外囲器と、
前記外囲器内に配設され、前記蛍光体スクリーンに向けて電子ビームを放出する電子銃構体と、
前記外囲器内で前記蛍光体スクリーンに対向して配置されたシャドウマスク本体、及び、前記シャドウマスク本体を保持する略矩形枠状のマスクフレームを有するシャドウマスクユニットと、を備えた陰極線管において、
前記シャドウマスク本体は、前記蛍光体スクリーン側に突出した曲面をなすシャドウマスク主面、及び、前記シャドウマスク主面の周囲に連接し前記電子銃構体側に屈曲されたスカート部を備え、
前記マスクフレームは、前記スカート部の外径と略同等の第１内径を有して前記スカート部に接触し溶接固定される前記電子銃構体側の第１側壁部と、前記第１内径より大きな第２内径を有して前記スカート部に非接触である蛍光体スクリーン側の第２側壁部と、を備え、
前記第１側壁部は、前記スカート部の全周に亘って接触する形状を有したことを特徴とする。
【００１１】
この陰極線管によれば、マスクフレームは、シャドウマスク本体のスカート部の外径より大きな内径を有する第２側壁部を備えており、シャドウマスク本体をマスクフレームに挿入する際の挿入性を向上することができる。これにより、スカート部の変位に伴うシャドウマスク本体の曲面の変形を抑制することができる。
【００１２】
また、シャドウマスク本体のスカート部は、全周に亘ってマスクフレームの第１側壁部と均一に接触する。これにより、シャドウマスク本体のドーミング時において、局所的なスカート部の拡がりによるシャドウマスク本体の曲面の変形を抑制することができる。
【００１３】
したがって、電子銃構体から放出された電子ビームをシャドウマスク本体を介して蛍光体スクリーンにおける所定の蛍光体層上にランディングさせることができ、表示画像の色純度を良好に維持することができる。
【００１４】
【発明の実施の形態】
以下、この発明の一実施の形態に係る陰極線管について図面を参照して説明する。
【００１５】
図１に示すように、カラー陰極線管装置は、ガラスによって形成された真空外囲器１０を備えている。この真空外囲器１０は、実質的に矩形状のパネル２２と、このパネル２２に一体に接合されたファンネル２４とを有している。パネル２２は、略矩形状の有効部２０と、有効部２０の周縁部から管軸Ｚ方向に沿って延出されたスカート部２１を有している。有効部２０の外面は、略平坦に形成されている。有効部２０の内面は、任意の曲面で構成されている。スカート部２１は、その内部における各コーナ部において内方に向かって突設されたスタッドピン３１を備えている。
【００１６】
蛍光体スクリーン２７は、パネル２２の有効部２０の内面に形成されている。この蛍光体スクリーン２７は、図２に示すように、赤、緑、青にそれぞれ発光する垂直軸Ｖ方向に伸びたストライプ状の３色蛍光体層６２Ｒ、６２Ｇ、６２Ｂと、これらの３色蛍光体層の間を埋める光吸収層（ブラックストライプ）６１と、によって構成されている。
【００１７】
電子銃構体３６は、ファンネル２４の径小部に相当する円筒状のネック３４の内部に配置されている。この電子銃構体３６は、蛍光体スクリーン２７に向けて水平軸Ｈ方向に一列に配列された３電子ビーム３５Ｒ、３５Ｇ、３５Ｂを放出する。また、この電子銃構体３６は、パネル２２の有効部２０の中心を通りパネル２２に対してほぼ垂直に延びた管軸Ｚと略同軸的に配設されている。
【００１８】
色選別機能を有するシャドウマスクユニット２８は、真空外囲器１０の内部において蛍光体スクリーン２７に対向して配置されている。このシャドウマスクユニット２８は、電子銃構体３６から放出された３電子ビーム３５Ｒ、３５Ｇ、３５Ｂが通過するスリット状の複数の開孔１８を有するシャドウマスク本体２９と、シャドウマスク本体２９を保持する略矩形枠状のマスクフレーム３０と、スタッドピン３１にマスクフレーム３０を支持するための支持具３２とを備えている。磁気遮蔽体２３は、電子ビームが最も磁界の影響を受けやすいファンネル２４の内部においてマスクフレーム３０に接合されている。
【００１９】
偏向ヨーク３７は、ファンネル２４の径大部からネックに亘る外面に沿って配置されている。この偏向ヨーク３７は、電子銃構体３６から放出された３電子ビーム３５Ｒ、３５Ｇ、３５Ｂを水平軸Ｈ方向及び垂直軸Ｖ方向に偏向する非斉一な偏向磁界を発生する。この非斉一偏向磁界は、ピンクッション型の水平偏向磁界及びバレル型の垂直偏向磁界によって形成される。
【００２０】
このようなカラー陰極線管装置においては、図２に示すように、電子銃構体３６から放出された３電子ビーム３５Ｒ、３５Ｇ、３５Ｂは、シャドウマスク本体２９の開孔１８付近でコンバージェンスしつつ、偏向ヨーク３７から発生された偏向磁界によって偏向される。
【００２１】
これにより、３電子ビーム３５Ｒ、３５Ｇ、３５Ｂは、シャドウマスクユニット２８を介して蛍光体スクリーン２７を水平軸Ｈ方向及び垂直軸Ｖ方向に走査する。このとき、各電子ビーム３５Ｒ、３５Ｇ、３５Ｂを整形して特定の色の蛍光体層６２Ｒ、６２Ｇ、６２Ｂにランディングすることにより、カラー画像が表示される。
【００２２】
上述したシャドウマスクユニット２８は、シャドウマスク本体２９の中心を通って延びる管軸Ｚと、この管軸Ｚに直交して延びる長軸すなわち水平軸Ｈと、管軸Ｚ及び水平軸Ｈと直交して延びる短軸すなわち垂直軸Ｖとを有する略矩形状に形成されている。
【００２３】
すなわち、シャドウマスク本体２９は、低熱膨張材（熱膨張係数：１．５Ｅ−６［ｍｍ／℃］）としてのアンバー材などによって形成されている。このシャドウマスク本体２９は、図３乃至図５に示すように、多数のスリット状の開孔１８を有する略矩形状のシャドウマスク主面２９１と、シャドウマスク主面２９１の周縁に連接し電子銃構体側に屈曲された略矩形枠状のスカート部２９２と、を備えて構成されている。また、このシャドウマスク本体２９は、シャドウマスク主面２９Ａの周縁に、水平軸Ｈに略平行な一対の長辺２９Ｌと、垂直軸Ｖに略平行な一対の短辺２９Ｓと、を有している。
【００２４】
シャドウマスク主面２９１は、中央部が蛍光体スクリーン２７側に突出するような所定の曲率を有する曲面状に形成されている。すなわち、パネル２２の有効部２０における内面は、中央部の肉厚が周辺部より薄くなるような曲面である。また、シャドウマスク主面２９１は、パネル２２の有効部２０における内面の曲率と略同等の曲率を有する。これにより、電子ビームのシャドウマスク本体２９上の通過点とパネル２２内面に配置された蛍光体スクリーン２７上における照射点との距離が略一定に維持される。
【００２５】
スカート部２９２は、シャドウマスク主面２９１の周縁から管軸Ｚ方向に沿って延出されている。このスカート部２９２は、水平軸Ｈに略平行な一対の長辺部２９２Ｌと、垂直軸Ｖに略平行な一対の短辺部２９２Ｓと、長辺部２９２Ｌと短辺部２９２Ｓとの間に配置された４つのコーナ部２９２Ｄとを有している。すなわち、コーナ部２９２Ｄは、切欠部２９２Ｃを介して、長辺部２９２Ｌ及び短辺部２９２Ｓと切り離されている。また、長辺部２９２Ｌ及び短辺部２９２Ｓは、シャドウマスク主面２９１の曲率に対応してカーブしている。
【００２６】
ここで、スカート部２９２における外径は、水平軸Ｈ方向については、実質的に一対の短辺部２９２Ｓ間の距離すなわちシャドウマスク本体２９の水平軸端間距離２９２Ｈに相当し、垂直軸Ｖ方向については、実質的に一対の長辺部２９２Ｌ間の距離すなわちシャドウマスク本体２９の垂直軸端間距離２９２Ｖに相当する。
【００２７】
支持具３２は、マスクフレーム３０のコーナ部近傍に弾性的に取り付けられている。この支持具３２は、パネル２２のスカート部２１に設けられたスタッドピン３１に係止することにより、シャドウマスク本体２９をパネル２２の内側に脱着可能に支持している。
【００２８】
マスクフレーム３０は、板厚が例えば０．９ｍｍ程度の鉄材（熱膨張係数：１２Ｅ−６［ｍｍ／℃］）によって形成されている。このマスクフレーム３０は、図４乃至図８に示すように、第１側壁部３０１と、第２側壁部３０２と、傾斜部３０３と、底面部３０４と、を備えて構成されている。また、このマスクフレーム３０は、水平軸Ｈに略平行な一対の長辺部３００Ｌと、垂直軸Ｖに略平行な一対の短辺部３００Ｓと、長辺部３００Ｌと短辺部３００Ｓとの間に配置された４つのコーナ部３００Ｄとを有している。
【００２９】
第１側壁部３０１は、長辺部３００Ｌ、短辺部３００Ｓ、及びコーナ部３００Ｄの全周に亘って略矩形枠状に形成されている。この第１側壁部３０１は、マスクフレーム３０の電子銃構体側に配置されている。また、この第１側壁部３０１は、管軸Ｚと略平行に延出されている。さらに、この第１側壁部３０１は、シャドウマスク本体２９のスカート部２９２の外径と略同等の第１内径を有しており、シャドウマスク本体２９の挿入によってスカート部２９２の全周に亘って接触する。第１側壁部３０１の電子銃構体側の終端は、底面部３０４とほぼ直角に連接されている。
【００３０】
図６に示すように、第１側壁部３０１における第１内径は、水平軸Ｈ方向については、実質的に一対の短辺部３００Ｓに対応する第１側壁部３０１間の水平軸Ｈに沿った距離３０１Ｈに相当し、垂直軸Ｖ方向については、実質的に一対の長辺部３００Ｌに対応する第１側壁部３０１間の垂直軸Ｖに沿った距離３０１Ｖに相当する。
【００３１】
この第１側壁部３０１の管軸Ｚ方向に沿った高さは、コーナ部３００Ｄで最も小さく、例えば図７に示すように、長辺部３００Ｌにおける第１側壁部３０１では、コーナ部３００Ｄに連接する部分の高さＨ１が最も低く、長辺部３００Ｌ中央の高さＨ２が最も高い。短辺部３００Ｓにおける第１側壁部３０１でも同様に、コーナ部３００Ｄに連接する部分の高さが最も低く、長辺部３００Ｌ中央の高さが最も高い。
【００３２】
第２側壁部３０２は、長辺部３００Ｌ、短辺部３００Ｓ、及びコーナ部３００Ｄの全周に亘って略矩形枠状に形成されている。この第２側壁部３０２は、マスクフレーム３０の蛍光体スクリーン側に配置されている。また、この第２側壁部３０２は、管軸Ｚと略平行に延出されている。さらに、この第２側壁部３０２は、第１側壁部３０１の第１内径より大きな第２内径を有しており、シャドウマスク本体２９の挿入によってスカート部２９２の全周と非接触する。
【００３３】
図６に示すように、第２側壁部３０２における第２内径は、水平軸Ｈ方向については、実質的に一対の短辺部３００Ｓに対応する第２側壁部３０２間の水平軸Ｈに沿った距離３０２Ｈに相当し、垂直軸Ｖ方向については、実質的に一対の長辺部３００Ｌに対応する第２側壁部３０２間の垂直軸Ｖに沿った距離３０２Ｖに相当する。
【００３４】
傾斜部３０３は、長辺部３００Ｌ、短辺部３００Ｓ、及びコーナ部３００Ｄの全周に亘って略矩形枠状に形成されている。この傾斜部３０３は、第１側壁部３０１と第２側壁部３０２との間に配置されている。すなわち、この傾斜部３０３は、第１内径を有する第１側壁部３０１の蛍光体スクリーン側の終端と、第１内径より大きな第２内径を有する第２側壁部３０２の電子銃構体側の終端とを接続する。このため、この傾斜部３０３は、図４に示すように、その蛍光体スクリーン側において拡がるよう底面部３０４に対して所定の傾斜角度θを有して傾斜している。
【００３５】
第１側面部３０１と傾斜部３０３との境界は、シャドウマスク主面２９１の曲率と略同等の曲率を有している。例えば図７に示すように、長辺部３００Ｌにおける第１側壁部３０１と傾斜部３０３との境界３０５は、シャドウマスク主面２９１の長辺２９Ｌに沿った曲率Ｒ１と略同等の曲率Ｒ２を有している。短辺部３００Ｓにおいても同様に、第１側壁部３０１と傾斜部３０３との境界は、シャドウマスク主面２９１の短辺２９Ｓに沿った曲率と略同等の曲率を有している。
【００３６】
例えば、４１ｃｍのカラー陰極線管の場合、図５に示すように、シャドウマスク本体２９におけるシャドウマスク主面２９１について、管軸Ｚと水平軸Ｈ及び垂直軸Ｖとが交差するセンターから周縁部の管軸方向高低差βは、おおよそ以下の通りである。垂直軸Ｖ端部にてβＶ＝５ｍｍ、水平軸Ｈ端部にてβＨ＝１０ｍｍ、対角軸Ｄ端部にてβＤ＝１７ｍｍとなっている。
【００３７】
一方で、図９の（ａ）乃至（ｃ）に示すように、マスクフレーム３０の第１側壁部３０１について、底面部３０４からの管軸方向高さγは、おおよそ以下の通りである。垂直軸Ｖ端部にてγＶ＝２８ｍｍ、水平軸Ｈ端部にてγＨ＝２３ｍｍ、対角軸Ｄ端部にてγＤ＝１６ｍｍとなっている。
【００３８】
このように、垂直軸Ｖ端部、水平軸Ｈ端部、及び、対角軸Ｄ端部において、β及びγの各軸上の差がほぼ同じであり、マスクフレーム３０において、第１側壁部３０１と傾斜部３０３との境界３０５は、シャドウマスク本体２９１の周縁における曲率と略同等に形成されている。
【００３９】
このとき、図５に示したシャドウマスク本体２９のスカート部２９２は、その先端部にてマスクフレーム３０の第１側壁部３０１と接触する接触部α１と、接触部α１よりシャドウマスク主面２９１との連接部に近接した残りの非接触部α２とを有している。すなわち、スカート部２９２の電子銃構体側における略２／３以下の領域αは、側壁部３０１に接触し、残りの部分がマスクフレーム３０と非接触となる。
【００４０】
上述したように、この実施の形態に係るシャドウマスクユニット２８においては、略矩形状のマスクフレーム３０は、底面部３０４側に第１内径を有する第１側壁部３０１と、上面側に第１内径より大きな第２内径を有する第２側壁部３０２と、第１側壁部３０１と第２側壁部３０２との間に傾斜部３０３とを備えており、マスクフレーム３０の断面形状は、底面部３０４に対して傾斜角度θの段差構造を有している。これにより、製造工程においてシャドウマスク本体２９をマスクフレーム３０へ挿入する際に、マスクフレーム３０における傾斜部３０３の傾斜によって、シャドウマスク本体２９のスカート部２９２先端の滑りを良くし、シャドウマスク本体２９のマスクフレーム３０への挿入性を向上することができる。
【００４１】
ここで、傾斜部３０３の傾斜角度θと挿入性との関係について説明する。図１０には、傾斜角度θとシャドウマスク本体２９の挿入性レベルとの関係が示されている。このとき、挿入性レベル「０」は、スカート部２９２の先端がマスクフレーム３０に引っ掛かり極めて挿入しにくいことを示す。挿入レベル「１」は、無理をすれば挿入可能であるがシャドウマスク本体２９の変形を伴うおそれがあり挿入しにくいことを示す。挿入レベル「２」は、挿入可能なことを示す。挿入レベル「３」は、比較的容易に挿入可能なことを示す。挿入レベル「４」は、極めて容易に挿入可能なことを示す。挿入レベル「５」は、挿入が容易すぎてシャドウマスク本体２９が滑り落ちることを示す。
【００４２】
図１０に示したように、傾斜部３０３の傾斜角度θは、５５度≦θ＜９０度であることが望ましく、より好ましくは７０度≦θ≦８０度である。すなわち、傾斜角度θが５５度よりも小さい場合には、シャドウマスク本体２９を挿入する時にスカート部２９２の先端がマスクフレーム３０に接触し、挿入性を損なうばかりでなく、スカート部２９２の変位によるシャドウマスク本体２９１に局所的な変形を生じるおそれがある。また、傾斜角度θが９０度を超えると、傾斜部３０３は、第１側壁部３０１及び第２側壁部３０２とともに底面部３０４に対して略垂直となり、スカート部２９２先端の滑りを良くすることができず、挿入性が低下してしまうことになる。
【００４３】
また、上述したシャドウマスクユニット２８においては、シャドウマスク本体２９のスカート部２９２が接触するマスクフレーム３０の第１側壁部３０１は、傾斜部３０３との境界において、シャドウマスク主面２９１の曲率と略同等の曲率を有している。
【００４４】
これにより、マスクフレーム３０に挿入されたシャドウマスク本体２９のスカート部２９２は、その所定幅の先端部α１において、略均一に第１側壁部３０１に接触する。つまり、スカート部２９２は、水平軸Ｈ端部付近及び垂直軸Ｖ端部付近を中心としてその略全周に亘って第１側壁部３０１に接触し、スカート部２９２の局部的な接触（特に、コーナ部付近）によるシャドウマスク主面２９１の変形を抑制することができる。また、このような構造により、シャドウマスク本体２９のドーミング時において、スカート部２９２の局部的な変位（拡がり）によるシャドウマスク主面２９１の局部的な変形を防止することができる。
【００４５】
マスクフレーム３０に挿入されたシャドウマスク本体２９は、そのスカート部２９１と第１側壁部３０１とが水平軸Ｈ端部付近、垂直軸Ｖ端部付近、及び、対角軸Ｄ端部付近において溶接されることにより、マスクフレーム３０に保持される。一方、マスクフレーム３０の第２側壁部３０２は、スカート部２９２の外径より大きな内径を有することにより、スカート部２９２の蛍光体スクリーン側がマスクフレーム３０の全周にわたって非接触である。つまり、シャドウマスク主面２９１の全周縁とスカート部２９２とが連接する折り曲げ部分近傍がマスクフレーム３０に対して非接触である。これにより、シャドウマスク本体２９のドーミング時において、シャドウマスク本体２９の折り曲げ部分のマスクフレーム３０への接触によるシャドウマスク主面２９１の変形を抑制することができる。
【００４６】
なお、上述した実施の形態では、図７に示したように、第１側面部３０１と傾斜部３０３との境界３０５は、シャドウマスク主面２９１の曲率と略同等の曲率を有するような曲線状に形成したが、この例に限定されるものではない。例えば、図１１に示したように、境界３０５は、シャドウマスク主面２９１の曲率におおよそ近い複数の直線Ｌ１乃至Ｌ３を繋いだ形状となっていても良い。すなわち、第１側壁部３０１とスカート部２９２の接触部α１とが全周に亘って略均一に接触可能な形状であれば、先に説明した実施の形態と同等の効果が得られる。
【００４７】
また、図１２に示すように、マスクフレーム３０は、そのコーナ部３００Ｄ近傍において、少なくとも１つの切欠部３０６を備えていても良い。すなわち、マスクフレーム３０の製造工程では、マスクフレーム板材（主に鉄）を底面部３０４が略長方形状であって全周縁に側壁部を形成するような絞り成形を行う。このとき、マスクフレーム３０のコーナ部３００Ｄ付近には、材料の肉余りが集中し、所定の形状とすることが困難である。このため、主にコーナ部３００近傍の側壁部の材料を伸ばしながら成形を行い、所定の形状としている。
【００４８】
しかしながら、上述した実施の形態にて説明したように、側壁部が多段曲げ構造の場合には、絞り成形が更に難しくなり、曲げの長さや位置、側壁部の高さ等の条件によりコーナ部近傍の側壁部が絞り成形時に破損することがある。
【００４９】
そこで、マスクフレーム３０のコーナ部３００Ｄ近傍に位置するマスクフレーム板材に切欠部３０６を形成した後に絞り成形を行う。絞り成形後は図１２に示すように、マスクフレーム３００のコーナ部３００Ｄ近傍において、略凹状の切欠部３０６が残る。
【００５０】
この切欠部３０６は、第１側壁部３０１と傾斜部３０３との境界３０５まで延在する深さγを有する。また、この切欠部３０６は、隣接するコーナ部３００Ｄ間の距離を１００％とした時に、コーナ部３００Ｄから３０％までの領域εに存在することが望ましい。なお、この切欠部３０６は、さらに複数設けてもよい。
【００５１】
このような切欠部３０６を有する構造により、絞り成形によって破損することなく、容易に多段曲げ構造を有する側壁部を形成することができる。
【００５２】
以上説明したように、この陰極線管に適用されるシャドウマスクユニットによれば、マスクフレーム３０は、シャドウマスク本体２９におけるスカート部２９２の先端に全周に亘って接触する第１側壁部３０１と、シャドウマスク主面２９１とスカート部２９２との連接部に相当する折り曲げ部近傍において全周に亘って非接触とする第２側壁部３０２とを備えている。しかも、このマスクフレーム３０は、第１側壁部３０１と第２側壁部３０２とを連接する傾斜部３０３を備えている。第１側壁部３０１と傾斜部３０３との境界は、シャドウマスク主面２９１の曲率に概略対応する形状を有している。
【００５３】
このため、スカート部２９２の先端部における接触部α１が第１側壁部３０１と略均一に接触するとともに、スカート部２９２の非接触部α２が第２側壁部３０２と非接触であり、シャドウマスク本体２９のドーミング時にシャドウマスク本体の折り曲げ部付近にてマスクフレーム３０との接触を全周縁に亘って回避することができ、シャドウマスク主面２９１の局所的な変形を抑制することができる。
【００５４】
また、マスクフレーム３０の傾斜部３０３は、全周に亘って形成され、スカート部２９２の接触部α１と非接触部α２との境界部において、マスクフレーム３０の底面部３０４に対して５５度以上９０度未満の傾斜傾斜角度θを有している。
【００５５】
このため、製造工程にてシャドウマスク本体２９をマスクフレーム３０に挿入する際、シャドウマスク本体２９のスカート部２９２先端がマスクフレーム３０の段差すなわち傾斜部３０３に略均一に接触し、しかも、この傾斜によってシャドウマスク本体２９をマスクフレーム３０にスムースに滑り落とすことができる。これにより、スカート部２９２の引っかかりに伴うスカート部２９２の変位を抑制することができ、シャドウマスク主面２９１の局所的な変形を抑制することができる。
【００５６】
したがって、シャドウマスク主面２９１の変形に伴う電子ビームの蛍光体スクリーン上でのランディング位置の変位を抑制することができ、表示画像の色純度を良好に維持することができる。
【００５７】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００５８】
【発明の効果】
以上説明したように、この発明によれば、シャドウマスク本体の変形を抑制し、良好な色純度の表示画像を表示可能な陰極線管を提供することができる。
【図面の簡単な説明】
【図１】図１は、この発明の一実施の形態に係るカラー陰極線管装置の構造を概略的に示す図である。
【図２】図２は、図１に示したカラー陰極線管装置における電子ビームの軌道を説明するための図である。
【図３】図３は、図１に示したカラー陰極線管装置に適用されるシャドウマスクユニットの構造を概略的に示す図である。
【図４】図４は、図３に示したシャドウマスクユニットの断面構造を概略的に示す図である。
【図５】図５は、図３に示したシャドウマスクユニットのシャドウマスク本体の構造を概略的に示す斜視図である。
【図６】図６は、図３に示したシャドウマスクユニットのマスクフレームの構造を概略的に示す平面図である。
【図７】図７は、図３に示したシャドウマスクユニットを側面から見たときの分解図である。
【図８】図８は、図６に示したマスクフレームのコーナ部近傍の構造を概略的に示す斜視図である。
【図９】図９の（ａ）は、シャドウマスクユニットの垂直軸端付近での断面構造を概略的に示す図であり、図９の（ｂ）は、シャドウマスクユニットの水平軸端付近での断面構造を概略的に示す図であり、図９の（ｃ）は、シャドウマスクユニットの対角軸端付近での断面構造を概略的に示す図である。
【図１０】図１０は、マスクフレームの傾斜部における傾斜角度とシャドウマスク本体のマスクフレームへの挿入性レベルとの関係を示す図である。
【図１１】図１１は、図１に示したカラー陰極線管装置に適用可能なシャドウマスクユニットの他のマスクフレームの構造を概略的に示す側面図である。
【図１２】図１２は、図１に示したカラー陰極線管装置に適用可能なシャドウマスクユニットの他のマスクフレームのコーナ部近傍の構造を概略的に示す斜視図である。
【符号の説明】
２２…パネル
２７…蛍光体スクリーン
２８…シャドウマスクユニット
２９…シャドウマスク本体
２９１…シャドウマスク主面
２９２…スカート部
３０…マスクフレーム
３０１…第１側壁部
３０２…第２側壁部
３０３…傾斜部
３０４…底面部
３５（Ｒ、Ｇ、Ｂ）…電子ビーム
３６…電子銃構体
【図１】
2004172060.tif 000003
【図２】
2004172060.tif 000004
【図３】
2004172060.tif 000005
【図４】
2004172060.tif 000006
【図５】
2004172060.tif 000007
【図６】
2004172060.tif 000008
【図７】
2004172060.tif 000009
【図８】
2004172060.tif 000010
【図９】
2004172060.tif 000011
【図１０】
2004172060.tif 000012
【図１１】
2004172060.tif 000013
【図１２】
2004172060.tif 000014